【手続補正書】
【提出日】平成18年1月31日(2006.1.31)
【手続補正１】
【補正対象書類名】明細書
【補正対象項目名】発明の名称
【補正方法】変更
【補正の内容】
【発明の名称】駆動装置、画像読取装置及び画像形成装置
【手続補正２】
【補正対象書類名】明細書
【補正対象項目名】特許請求の範囲
【補正方法】変更
【補正の内容】
【特許請求の範囲】
【請求項１】  駆動軸に取り付けられた複数又は単数の駆動プーリにより駆動される駆動ワイヤにて可動体を移動させる駆動装置において、
前記駆動プーリは、プレス加工又はてん造により形成されていることを特徴とする駆動装置。
【請求項２】  
前記駆動プーリは、前記駆動ワイヤを通す穴を有することを特徴とする請求項１記載の駆動装置。
【請求項３】  
前記駆動プーリは、前記駆動ワイヤを係止する係止手段を有することを特徴とする請求項１記載の駆動装置。
【請求項４】  
前記駆動プーリの少なくとも一つは前記駆動軸に圧入されるように形成されていることを特徴とする請求項１ないし３の何れか一記載の駆動装置。
【請求項５】  
前記駆動プーリは、前記駆動軸に対して回転方向の止め位置が調整可能であることを特徴とする請求項１ないし４の何れか一記載の駆動装置。
【請求項６】  
前記駆動プーリは、前記駆動軸の両端に取り付けられ、これらの駆動プーリは前記駆動軸に対する回転方向の止め位置の調整が同一方向から可能であることを特徴とする請求項４又は５記載の駆動装置。
【請求項７】  
前記駆動プーリは、前記駆動ワイヤを巻き付けるワイヤ巻き付け部の少なくとも一側にフランジを有することを特徴とする請求項１ないし６の何れか一記載の駆動装置。
【請求項８】  
前記駆動プーリの前記フランジは、切れ目を有することを特徴とする請求項７記載の駆動装置。
【請求項９】  
前記駆動プーリは、前記ワイヤ巻き付け部に前記駆動ワイヤを保持する溝を有することを特徴とする前記請求項７記載の駆動装置。
【請求項１０】  
前記駆動プーリは、前記駆動軸の両端に取り付けられ、前記駆動ワイヤを通す前記穴は、前記駆動プーリ同士で回転方向の位置が等しくなる位置に形成されていることを特徴とする請求項２記載の駆動装置。
【請求項１１】  
前記駆動プーリは、前記駆動軸の両端に取り付けられ、前記切れ目は、前記駆動プーリ同士で回転方向の位置が等しくなる位置に形成されていることを特徴とする請求項８記載の駆動装置。
【請求項１２】  
原稿台と、
前記原稿台に載置される原稿の画像を光学的に読み込む読取光学系を支持する可動体と、
前記可動体を前記原稿台に沿って往復駆動させる請求項１ないし１１の何れか一記載の駆動装置と、を具備する画像読取装置。
【請求項１３】
請求項１２記載の画像読取装置と、
前記画像読取装置により読み取られる画像を出力する画像出力部と、を具備する画像形成装置。
【手続補正３】
【補正対象書類名】明細書
【補正対象項目名】０００１
【補正方法】変更
【補正の内容】
【０００１】
【発明の属する技術分野】
本発明は、駆動軸に取り付けられた駆動プーリにより駆動される駆動ワイヤにて可動体を移動させる駆動装置、この駆動装置を具備する画像読取装置及びこの画像読取装置を具備する画像形成装置に関する。
【手続補正４】
【補正対象書類名】明細書
【補正対象項目名】０００３
【補正方法】変更
【補正の内容】
【０００３】
このような駆動装置は、例えば、画像読取装置などにおいて、原稿画像を読み取る読取光学系を移動させる場合などに用いられている。この画像読取装置はパーソナルコンピュータに接続されて用いる周辺機器として利用される場合の他に、ファクシミリや複写機などの画像形成装置に一つのユニットとして組み込まれて使用される場合がある。
【手続補正５】
【補正対象書類名】明細書
【補正対象項目名】００３４
【補正方法】変更
【補正の内容】
【００３４】
請求項１２記載の画像読取装置は、原稿台と、前記原稿台に載置される原稿の画像を光学的に読み込む読取光学系を支持する可動体と、前記可動体を前記原稿台に沿って往復駆動させる請求項１ないし１１の何れか一記載の駆動装置と、を具備する。
【手続補正６】
【補正対象書類名】明細書
【補正対象項目名】００３５
【補正方法】変更
【補正の内容】
【００３５】
したがって、請求項１ないし１１の何れか一記載の発明の場合と同様の効果を得ることによって画像読取精度の高い画像読取装置を提供することが可能となる。
【手続補正７】
【補正対象書類名】明細書
【補正対象項目名】００３６
【補正方法】変更
【補正の内容】
【００３６】
請求項１３記載の画像形成装置は、請求項１２記載の画像読取装置と、前記画像読取装置により読み取られる画像を出力する画像出力部と、を具備する。
【手続補正８】
【補正対象書類名】明細書
【補正対象項目名】００３９
【補正方法】変更
【補正の内容】
【００３９】
まず、図１を参照して駆動装置１の構成について説明する。本実施の形態では、画像読取装置において光学系を支持するキャリッジＡ，Ｂを可動体とし、それらを移動させる例であるが、移動させる可動体はこれに限られるものではない。
【手続補正９】
【補正対象書類名】明細書
【補正対象項目名】００６４
【補正方法】変更
【補正の内容】
【００６４】
次に、本発明の第四の実施の形態として画像形成装置の構成を図１３に基づいて説明する。
本実施の形態における画像形成装置１００は、画像読取装置１０１と、この画像読取装置１０１により読み取られた画像データを印字出力する画像出力部１０２とを有する複写機を例としているが、モデムを付加し、画像読取装置１０１により読み取られた画像データを外部に送信したり、外部から送信された画像データを受信して画像出力部１０２により印字出力するファクシミリとしての機能をもたせた複合機であってもよい。
【手続補正１０】
【補正対象書類名】明細書
【補正対象項目名】００６５
【補正方法】変更
【補正の内容】
【００６５】
この画像形成装置１００は大型給紙装置１０３の上部に設置されている。画像出力部１０２は、画像読取装置１０１により読み取られた画像データや外部から受信した画像データを感光体１０４の上に作像し、その画像を給紙された転写用紙に転写する公知の電子写真方式のプリンタである。
【手続補正１１】
【補正対象書類名】明細書
【補正対象項目名】００６６
【補正方法】変更
【補正の内容】
【００６６】
画像読取装置１０１は、コンタクトガラス１０５の上に載置された原稿からの反射画像を第一の光学系１０６と第二の光学系１０７とにより偏向し、収束レンズ１０８を介してＣＣＤセンサ１０９に結像するという公知の構成である。第一の光学系（照明光源及びミラー）はキャリッジＡに搭載され、第二の光学系（ミラー）はキャリッジＢに搭載されている。これらのキャリッジＡ，Ｂは図１に示す駆動装置１に組み込まれている。
【手続補正１２】
【補正対象書類名】明細書
【補正対象項目名】００７９
【補正方法】変更
【補正の内容】
【００７９】
請求項１２記載の画像読取装置は、可動体を原稿台に沿って往復駆動させる請求項１ないし１１の何れか一記載の駆動装置を具備するので、請求項１ないし１１の何れか一記載の発明の場合と同様の効果を得ることができ、これにより、画像の読取精度の高い画像読取装置を提供することができる。
【手続補正１３】
【補正対象書類名】明細書
【補正対象項目名】００８０
【補正方法】変更
【補正の内容】
【００８０】
請求項１３記載の画像形成装置は、請求項１２記載の画像読取装置と画像出力部とを具備するので、画像読取精度の高い画像データを出力することが可能な画像形成装置を提供することができる。
【手続補正１４】
【補正対象書類名】明細書
【補正対象項目名】図面の簡単な説明
【補正方法】変更
【補正の内容】
【図面の簡単な説明】
【図１】本発明の第一の実施の形態における駆動装置の斜視図である。
【図２】駆動軸に嵌合された駆動プーリの概略構造を示す斜視図である。
【図３】駆動プーリの詳細を示す縦断正面図である。
【図４】駆動プーリの概略の形状を示す斜視図である。
【図５】駆動プーリの内部において駆動ワイヤを固定した状態を示す縦断正面図である。
【図６】その側面図である。
【図７】本発明の第二の実施の形態における一方の駆動プーリの内部構造を示す側面図である。
【図８】図７に示す一方の駆動プーリと対称をなす他方の駆動プーリの内部構造を示す側面図である。
【図９】駆動軸の両端に取り付けられて対をなす駆動プーリが具備するドラムを図７及び図８におけるＸ−Ｘ線上で断面にして示す断面図である。
【図１０】その対をなす駆動プーリが具備するドラムを図７及び図８におけるＵ−Ｕ線上で断面にして示す断面図である。
【図１１】その対をなす駆動プーリが具備するドラムを図７及び図８におけるＴ−Ｔ線上で断面にして示す断面図である。
【図１２】本発明の第三の実施の形態における駆動プーリの内部構造を示す縦断正面図である。
【図１３】本発明の第四の実施の形態における画像形成装置の内部構造を示す縦断正面図である。
【符号の説明】
Ａ，Ｂ  可動体
１  駆動装置
３  駆動軸
５，６  駆動プーリ
１０  駆動ワイヤ
１３，１６  フランジ
１９  ワイヤ巻きつけ部
２０  穴
２１ａ，２１ｂ  切れ目
２２  係止手段
２４  溝
１００  画像形成装置
１０１  画像読取装置
１０２  画像出力部